【事件の表示】
　平成９年特許願第３５６３４１号「多機能型接触帯電装置」拒絶査定不服審判事件〔平成１１年７月２日出願公開、特開平１１−１７４７８３〕について、次のとおり審決する。
【結　論】
　本件審判の請求は、成り立たない。
【理　由】
１．手続の経緯・本願発明
　本願は、平成９年１２月１０日の出願であって、その請求項１ないし６に係る発明は、平成１５年１０月６日付け、平成１６年８月２３日付け及び平成１９年３月２６日付けの手続補正書によって補正された明細書及び図面の記載からみて、その特許請求の範囲の請求項１ないし６に記載された事項により特定されるとおりのものであり、請求項１に係る発明は次のとおりのものと認める。
　なお、平成１６年１１月２９日付けの手続補正は却下された。
「少なくとも、帯電−画像露光−現像−転写−定着−クリーニング手段を有する電子写真画像形成装置に具備され、有機系電子写真用感光体と接触させて電界を印加する方式の接触帯電装置であって、電界印加用部材へ、感光体表面摩擦係数制御用潤滑性材料を供給する手段を有し、本来の電界印加機能以外に、該電子写真用感光体の表面特性制御機能を同時に有し、該制御機能によって、オイラーベルト法による該電子写真用感光体の表面摩擦係数の測定値が、１０万枚以下の通紙時において０．１〜０．４になるように、感光体上に形成される画像の変化を検知するセンサの信号情報をもとに、該電界印加用部材と該供給手段とを接離することで制御することを特徴とする接触帯電装置。」（以下、「本願発明」という。）
　
２．引用刊行物記載の発明
　原査定の拒絶の理由に引用された、本願出願前に頒布された刊行物である、刊行物１（原査定の引用文献１）及び刊行物２（原査定の引用文献８）には下記の事項がそれぞれ記載されている。
　
（刊行物１：特開平７−１９９６００号公報の記載事項）
(1a)「【請求項１】移動可能な被帯電面を有する像担持体と、前記被帯電面を帯電する接触帯電装置と、露光によって前記被帯電面に形成された潜像に現像剤を付着させて現像する現像装置と、前記像担持体上に形成された現像像を記録材等に転写する転写装置とを備えた画像形成装置において、前記接触帯電装置が、前記被帯電面に接触するとともに帯電電圧が印加されて前記被帯電面を均一に帯電する接触帯電部材と、該接触帯電部材に当接して該接触帯電部材表面に潤滑剤を塗布する潤滑剤塗布手段とを備える、ことを特徴とする画像形成装置。
【請求項２】前記潤滑剤塗布手段が、支持部材によって支持された、固形潤滑剤または潤滑剤担持体であり、これら固形潤滑剤または潤滑剤担持体を前記接触帯電部材に当接させる、ことを特徴とする請求項１記載の画像形成装置。
【請求項３】前記潤滑剤塗布手段が、潤滑剤を含有するとともに前記接触帯電部材表面に当接されたクリーニング部材である、ことを特徴とする請求項１記載の画像形成装置。
【請求項４】前記クリーニング部材が、前記接触帯電部材表面に対して接離可能に配置される、ことを特徴とする請求項３記載の画像形成装置。」
(1b)「【００１１】また、帯電ローラが感光ドラムに対して従動回転する場合、クリーニング部材が帯電ローラに加圧当接することにより、感光ドラムと帯電ローラとの間に摩擦の増大及び摺擦が生じ、この結果、感光ドラムが損傷して帯電不良が発生し、さらに感光ドラム損傷部にトナーが侵入し固着することによる感光ドラムクリーニング不良に起因して画像領域部に斑点状、スジ状、雲状等の異常画像が発生するという問題があった。
【００１２】加えて、接触転写装置を有する画像形成装置においては感光ドラム表面の摩耗、摺擦傷等の粗れにより中抜け画像が増加する。
【００１３】そこで、本発明は、上述問題を解決すべく、帯電部材（帯電ローラ）及び像担持体（感光ドラム）の摩耗や損傷を防止し、これらの摩耗や損傷に起因する、帯電不良、斑点等の異常画像、中抜け画像等をなくすようにした画像形成装置を提供することを目的とするものである。」
(1c)「【００２０】【作用】以上構成に基づき、潤滑剤塗布手段により、接触帯電部材表面に潤滑剤を塗布することによって、接触帯電部材表面に離型層を形成することができる。これにより、接触帯電部材表面に付着したトナー等の付着物の吸着力が低くなり、その除去が容易となる。離型層により、帯電部材の摩耗も低減される。
【００２１】また、潤滑剤は、接触帯電部材を介して像担持体表面にも付着され、ここにも離型層を形成する。したがって、例えばドラムクリーニング装置と像担持体表面との摺擦による摩擦力が低減され、像担持体表面の摩耗や傷を防止することができる。」
(1d)図１には、像担持体としての感光ドラム１、帯電ローラ（接触帯電部材）２、露光手段３、現像装置５、転写ローラ（接触転写部材）６、除電針７、クリーニング装置９、前露光ランプ１０、感光ドラム１の下流側に、トナー像転写後の転写材を定着装置（不図示）に搬送する転写材搬送ベルト１２が配置されていることが示され、感光体ドラムはアルミニウム等の基材の表層に、ＯＰＣ等の感光層が形成されていることが記載されている。(【００２４】【００２５】【００３３】【図１】）
(1e)実施例２として、帯電ローラ表面に、シリコンオイル（潤滑剤）を含浸させたローラー部材２３ａを摺擦させて、帯電ローラにオイル塗布するものが示され、効果として、帯電ローラ２及び感光ドラム１に対するオイル塗布が良好に行われ、帯電不良、感光ドラムの摩耗、中抜け画像等を減少させ、さらにクリーニング部材２３の長寿命化を図ることができることが記載されている。（【００４５】〜【００４９】【図５】）
(1f)実施例３として、図６に、クリーニング部材２５を、帯電ローラ２表面に対して接離可能に配置したものが示され、２５ａは帯電ローラ２に接触してオイル塗布を行うオイル塗布層であり、２５ｂはオイル含有層であり、２５ｃはオイル含有層２５ｂの支持及び帯電ローラ２への接離制御を行うところの支持部材であり、図中の矢印Ｋ２方向（上下方向）に移動することにより、帯電ローラ２表面に対する接離動作を行うこと、接離動作は転写材１００枚に画像形成を行うにつき、帯電ローラ２の３回転分当接し、帯電ローラ２及び感光ドラム１への潤滑剤塗布量を規制するようにしていること、クリーニング部材２５の当接の時間間隔は、２０〜５００枚毎に設定するのが効果的であり、帯電ローラ２の２〜５回転分、クリーニング部材２５を当接させるのが好ましいことが記載され、実施例１、実施例２に比較して、クリーニング部材２５が接離動作することに基づき、帯電ローラ２、クリーニング部材２５の一層の長寿命化、潤滑剤塗布量規制の簡易化が図れ、感光ドラム１の摩耗の防止、中抜け画像の減少等については実施例１、２とほぼ同様の効果が得られることが記載されている。（【００４９】〜【００５２】【図６】）
(1g)実施例４として、図７に、固形の潤滑剤によって潤滑を行ことが示され、２７ａは、帯電ローラ２表面及び感光ドラム１表面に塗布されるシリコンオイル等の潤滑剤を固形化したものであり、２７ｂは、固形化した潤滑剤２７ａを支持し帯電ローラ２に対して接離制御を行う支持部材であることが記載され、感光ドラム１の摩耗の防止、中抜け画像の減少等に効果が得られたことが記載されている。（【００５２】〜【００５５】【図７】）
(1h)「【００５６】【発明の効果】以上説明したように、本発明によると、潤滑剤塗布手段によって、接触帯電部材表面に潤滑剤を塗布することにより、接触帯電部材及び像担持体表面に離型層を形成することができるので、接触帯電部材や像担持体の摩耗や損傷を防止し、帯電不良や中抜け画像等を有効に防止することができる。」
　
（刊行物２：特開平８−２０２２２６号公報の記載事項）
(2a)「【請求項１】感光体上に形成された静電潜像をトナー現像する現像手段と，感光体上に残った残留トナーを除去するクリーニングブラシと，感光体表面に潤滑剤を塗布する塗布手段とを備えた画像形成装置において，前記塗布手段によって潤滑剤が塗布された前記感光体表面の潤滑剤塗布領域および潤滑剤が塗布されなかった前記感光体表面の潤滑剤未塗布領域のそれぞれの地肌濃度を検知する検知手段と，前記検知手段が検知した潤滑剤塗布領域および潤滑剤未塗布領域の地肌濃度に基づいて，前記塗布手段の潤滑剤塗布量を制御する制御手段とを具備したことを特徴とする画像形成装置。」
(2b)「【０００４】本発明は上記に鑑みてなされたものであって，像担持体（感光体）上に塗布する潤滑剤の塗布量を常に適切な状態に維持して，地肌汚れの発生を確実に防止し，高品質の画像を安定して得られるようにすることを目的とする。」
　
３．対比
　上記刊行物１（上記(1a)(1d)(1f)）の記載事項から、刊行物１には、「少なくとも、帯電、画像露光、現像、転写、定着、クリーニング手段を有する画像形成装置に具備された、ＯＰＣ感光体と接触させる方式の接触帯電装置であって、帯電電圧が印加されて感光体表面を均一に帯電する接触帯電部材と、接触帯電部材に当接して表面に潤滑剤を塗布する潤滑剤塗布手段を有し、潤滑剤塗布手段は、接離制御を行う支持部材に支持され、接触帯電部材と潤滑剤塗布手段が接離可能に配置された接触帯電装置」の発明（以下、「刊行物１発明」という。）が記載されているところ、本願発明と刊行物１発明とを比較する。
（ア）刊行物１の発明の「画像形成装置」「ＯＰＣ感光体」「帯電電圧が印加され」「接触帯電部材」は、本願請求項１記載の発明の「電子写真画像形成装置」「有機系電子写真用感光体」「電界を印加する」「電界印加部材」にそれぞれ相当する。
（イ）刊行物１（上記(1c)）には、潤滑剤は、接触帯電部材を介して感光体表面にも付着され、感光体表面の摩擦力が低減されることが記載されているから、刊行物１発明の「潤滑剤塗布手段」は、本願発明の「感光体表面摩擦係数制御用潤滑性材料を供給する手段」に相当する。
　したがって、両者の間には、以下の一致点及び相違点がある。
　
（一致点）
　少なくとも、帯電−画像露光−現像−転写−定着−クリーニング手段を有する電子写真画像形成装置に具備され、有機系電子写真用感光体と接触させて電界を印加する方式の接触帯電装置であって、電界印加用部材へ、感光体表面摩擦係数制御用潤滑性材料を供給する手段を有し、電界印加用部材と該供給手段が接離する接触帯電装置である点。
（相違点）
　本願発明では、オイラーベルト法による電子写真用感光体の表面摩擦係数の測定値が、１０万枚以下の通紙時において０．１〜０．４になるように、感光体上に形成される画像の変化を検知するセンサの信号情報をもとに、電界印加用部材と供給手段が接離するのに対して、刊行物１発明では、潤滑剤は感光体表面の摩擦力を低減させもので、接触帯電部材と潤滑剤塗布手段が接離制御可能に配置されるものの、感光体上に形成される画像の変化を検知するセンサの信号情報に基づいて、接離が行われるものでなく、感光体の表面摩擦係数も不明である点。
　
４．判断
　上記相違点について検討すると、刊行物１（上記(1b)(1c)(1f)）には、潤滑剤は、接触帯電部材を介して感光体表面にも付着されることで、ドラムクリーニング装置等と感光体表面との摺擦による摩擦力が低減され、接触帯電部材及び感光体の摩耗や損傷を防止し、これらに起因する異常画像、中抜け画像等をなくすことが記載され、さらに、接離動作は転写材１００枚に画像形成を行う毎に、帯電ローラの３回転分当接させ、帯電ローラ及び感光ドラムへの潤滑剤塗布量を規制すること、当接の間隔は、２０〜５００枚毎に設定するのが効果的であり、帯電ローラの２〜５回転分、当接させるのが好ましいことも記載されており、刊行物１発明は、感光体の摩耗や損傷により異常画像が生じないように、接触帯電部材と潤滑剤塗布手段の当接間隔と当接時間を予め設定し、潤滑剤の塗布量を制御するものといえる。
　そして、刊行物２には、感光体表面の地肌濃度を検知するセンサが検知した地肌濃度に基づき、感光体表面への潤滑剤塗布手段の潤滑剤塗布量を制御することが記載されるように、潤滑剤の塗布量を、画像情報ではないものの、感光体表面の検知情報に基づき制御することは公知であり、また、特開昭６０−１４３３６１号公報（特許請求の範囲請求項１、第２頁左下欄第１８行目〜第３頁左上欄第１行目、第４頁左下欄第２行目〜第１６行目）、特開平５−３１３４５４号公報（【請求項１】【０００５】【０００６】）にも記載されるように、感光体上に形成される画像の状態をセンサで検知し、安定した画像を形成できるように、その検知情報に基づいて、電子写真装置の所定の要素を制御することは周知技術であったといえる。
　そうすると、刊行物１発明において、潤滑剤塗布量規制のための接触帯電部材と潤滑剤塗布手段の接離動作の制御を、良好な画質が得られるように予め設定した当接間隔と時間で行うことに代えて、感光体表面の画像の状態を検知して、その変化に基づき行うことは当業者が容易になし得たものといえる。そして、刊行物１発明は、画像異常が起こらないように、潤滑剤の塗布により感光体表面の摩擦力を低減させるものであり、摩擦力をどの程度低減させるかは、所望枚数通紙時の画像異常の発生状態をみて当業者が適宜に設定するものといえ、また、電子写真の分野において、感光体表面の摩擦力の程度を表面摩擦係数で評価することは通常行われることであるから、刊行物１発明において、１０万枚等の所望枚数の通紙時においても、許容される画像が得られるように、感光体表面の摩擦力低減の程度を、オイラーベルト法による表面摩擦係数で評価して０．１〜０．４と決定し、この範囲内になるように制御することに困難性があるとはいえない。
　そして、本願発明の装置がコンパクトで、信頼性の高い画像が長期にわたり得られるという効果は、刊行物１及び周知技術から予測し得たものといえる。
　
５．むすび
　以上のとおり、本願請求項１に係る発明は、刊行物１及び２に記載された発明及び周知技術に基づいて当業者が容易に発明をすることができたものであるから、特許法第２９条第２項の規定により特許を受けることができない。
　したがって、請求項２ないし６に係る発明についての判断を示すまでもなく、本願は拒絶すべきものである。
　よって、結論のとおり審決する。